(57)【要約】【課題】眼球、視神経、水晶体等に障害（弱視、老眼等）を有する歌い手であっても、リモコンユニットに表示される歌詞を良好に視認し、カラオケを楽しむことができるようにする。【解決手段】カラオケシステム本体２と、選択された曲及び歌い手の音声を出音するスピーカユニット３と、曲の進行に合わせて歌詞を表示するモニタユニット４と、歌い手の音声を集音するマイクユニット５と、カラオケシステム本体２と通信可能に構成され、少なくとも曲選択操作手段を有する持ち運び可能なリモコンユニット６と、が備えられたカラオケシステム１であって、リモコンユニット６には、少なくとも文字を表示可能なリモコン表示部１０と、曲の進行に合わせてリモコン表示部１０に歌詞を表示させる歌詞表示手段と、リモコン表示部１０における歌詞の表示文字サイズを変更する文字サイズ変更手段とが備えられている。【選択図】図５
2008116864.tif 000002
【特許請求の範囲】
【請求項１】
カラオケシステム本体と、
選択された曲及び歌い手の音声を出音するスピーカユニットと、
曲の進行に合わせて歌詞を表示するモニタユニットと、
歌い手の音声を集音するマイクユニットと、
前記カラオケシステム本体と通信可能に構成され、少なくとも曲選択操作手段を有する持ち運び可能なリモコンユニットと、が備えられたカラオケシステムであって、
前記リモコンユニットには、
少なくとも文字を表示可能なリモコン表示部と、
曲の進行に合わせて前記リモコン表示部に歌詞を表示させる歌詞表示手段と、
前記リモコン表示部における歌詞の表示文字サイズを変更する文字サイズ変更手段と、が備えられていることを特徴とするカラオケシステム。
【請求項２】
前記リモコンユニットには、前記リモコン表示部における歌詞の表示文字サイズを変更操作する文字サイズ変更操作部が備えられていることを特徴とする請求項１記載のカラオケシステム。
【請求項３】
前記リモコンユニットには、
ドット表示される歌詞の表示文字色を、曲の進行に合わせて所定ドット単位で先頭側から順次変換する色変換手段が備えられており、
前記色変換手段は、
表示文字サイズ毎に作成された複数の色変換プログラムからなり、前記文字サイズ変更手段による文字サイズの変更に応じて適用する色変換プログラムを切換えることを特徴とする請求項１又は２記載のカラオケシステム。
【発明の詳細な説明】
【技術分野】
【０００１】
本発明は、リモコンユニットが備えられたカラオケシステムに関する。
【背景技術】
【０００２】
通常、カラオケルーム等に設置されるカラオケシステムは、カラオケシステム本体と、選択された曲及び歌い手の音声を出音するスピーカユニットと、曲の進行に合わせて歌詞を表示するモニタユニットと、歌い手の音声を集音するマイクユニットと、カラオケシステム本体と通信可能に構成され、少なくとも曲選択操作手段を有する持ち運び可能なリモコンユニットとが備えられている。
【０００３】
また、近年では、モニタユニットと歌い手との位置関係（角度、距離等）に起因し、歌い手がモニタユニットに表示されている歌詞を視認できないという問題を解決するために、リモコンユニットに歌詞表示機能を付加したカラオケシステムも提案されている（例えば、特許文献１参照）。
【特許文献１】特開平１０−２８２９８２号公報
【発明の開示】
【発明が解決しようとする課題】
【０００４】
しかしながら、特許文献１に記載されるカラオケシステムのように、リモコンユニットに歌詞を表示したとしても、眼球、視神経、水晶体等に障害（弱視、老眼等）を有する歌い手の場合は、リモコンユニットに表示された歌詞を良好に視認できないという問題が未解決となっている。
【課題を解決するための手段】
【０００５】
本発明は、上記の如き実情に鑑みこれらの課題を解決することを目的として創作されたものであって、カラオケシステム本体と、選択された曲及び歌い手の音声を出音するスピーカユニットと、曲の進行に合わせて歌詞を表示するモニタユニットと、歌い手の音声を集音するマイクユニットと、前記カラオケシステム本体と通信可能に構成され、少なくとも曲選択操作手段を有する持ち運び可能なリモコンユニットと、が備えられたカラオケシステムであって、前記リモコンユニットには、少なくとも文字を表示可能なリモコン表示部と、曲の進行に合わせて前記リモコン表示部に歌詞を表示させる歌詞表示手段と、前記リモコン表示部における歌詞の表示文字サイズを変更する文字サイズ変更手段と、が備えられていることを特徴とする。このようにすると、眼球、視神経、水晶体等に障害（弱視、老眼等）を有する歌い手であっても、歌い手が視認可能な文字サイズに変更することにより、リモコンユニットに表示される歌詞を良好に視認し、カラオケを楽しむことができる。
また、前記リモコンユニットには、前記リモコン表示部における歌詞の表示文字サイズを変更操作する文字サイズ変更操作部が備えられていることを特徴とする。このようにすると、わざわざカラオケシステム本体の設置場所まで行って操作をしなくても、手元にあるリモコンユニットの操作で歌詞の表示文字サイズを変更することができる。
また、前記リモコンユニットには、ドット表示される歌詞の表示文字色を、曲の進行に合わせて所定ドット単位で先頭側から順次変換する色変換手段が備えられており、前記色変換手段は、表示文字サイズ毎に作成された複数の色変換プログラムからなり、前記文字サイズ変更手段による文字サイズの変更に応じて適用する色変換プログラムを切換えることを特徴とする。このようにすると、文字サイズに適合した色変換プログラムを用いて、適正な色変換処理を行うことができる。
【発明の効果】
【０００６】
以上のような本発明によれば、眼球、視神経、水晶体等に障害（弱視、老眼等）を有する歌い手であっても、歌い手が視認可能な文字サイズに変更することにより、リモコンユニットに表示される歌詞を良好に視認し、カラオケを楽しむことができる。
【発明を実施するための最良の形態】
【０００７】
次に、本発明の実施の形態について、図面に基づいて説明する。図１において、１はカラオケルーム等に設置されるカラオケシステムであって、該カラオケシステム１には、カラオケシステム本体２と、選択された曲及び歌い手の音声を出音するスピーカユニット３と、曲の進行に合わせて歌詞を表示するモニタユニット４と、歌い手の音声を集音するマイクユニット５と、カラオケシステム本体２と通信可能に構成され、少なくとも曲選択操作手段を有する持ち運び可能なリモコンユニット６とが備えられている。なお、本発明のカラオケシステム１は、リモコンユニット６に特徴を有しており、その他のユニットについては、公知のものをそのまま適用することができるので、詳細な説明は省略する。
【０００８】
図２及び図３に示すように、リモコンユニット６には、ＣＰＵ、ＲＯＭ、ＲＡＭ等で構成される制御部７と、カラオケシステム本体２と赤外線通信、無線ＬＡＮ等のプロトコルで通信を行う通信部８と、タッチパネル９を備えたリモコン表示部１０と、文字サイズ変更ボタン（文字サイズ変更操作部）１１とが備えられている。制御部７のＲＯＭには、各種のプログラムが書き込まれており、これらのプログラムを実行することにより、曲選択機能（曲選択手段）、歌詞表示機能（歌詞表示手段）、色変換機能（色変換手段）、文字サイズ変更機能（文字サイズ変更手段）等の各種機能がリモコンユニット６に付与されるようになっている。
【０００９】
曲選択機能は、リモコン表示部１０に表示されるメニュー画面に従い、タッチパネル９をタッチ操作することにより、歌いたい曲を選択する機能である。具体的な選択方法としては、曲コードを入力する方法、曲名の一覧から選択する方法等があり、その選択情報をカラオケシステム本体２に送信することにより、スピーカユニット３から曲が流れると共に、曲の進行に合わせてモニタユニット４に歌詞が表示される。これにより、歌い手は、マイクユニット５を持ち、モニタユニット４に表示される歌詞を視認しつつ、スピーカユニット３から流れる曲に合わせて歌うことができる。そして、マイクユニット５で集音された歌い手の音声は、カラオケシステム本体２でミキシングされ、スピーカユニット３から曲と一緒に出音されることになる。
【００１０】
歌詞表示機能は、図４の（Ａ）に示すように、曲の進行に合わせてリモコン表示部１０に歌詞を表示させる機能であり、この機能によれば、モニタユニット４と歌い手との位置関係（角度、距離等）に起因し、歌い手がモニタユニット４に表示されている歌詞を視認できないという状況であっても、リモコン表示部１０側で歌詞を視認し、カラオケを楽しむことが可能になる。具体的に説明すると、一曲分の歌詞データは、予め複数に区分されており、区分毎又は全区分一括でカラオケシステム本体２からリモコンユニット６に送信される。そして、リモコンユニット６は、カラオケシステム本体２から送信される曲の進行情報、或いは自らの計時処理により曲の進行状況を判定し、該進行判定結果に応じて歌詞データを一区分ずつリモコン表示部１０に表示させるようになっている。
【００１１】
色変換機能は、図４の（Ｂ）に示すように、リモコン表示部１０に表示されている歌詞の表示文字色を、曲の進行に合わせて先頭側から順次変換する機能である。また、本実施形態の色変換処理は、文字単位で行われるものではなく、ドット単位（ドット列単位又はドット行単位）で行われるようになっている。すなわち、歌詞を示す文字は、ドット表示されており、その表示色が曲の進行に合わせて所定ドット単位で先頭側から順次変換されるようになっている。これにより、文字単位で色変換を行う場合に比べ、スムーズな色変換表示が可能になる。なお、このような色変換処理には、いわゆるパレットアニメーションを好適に用いることができる。パレットアニメーションは、表示画面（初期テーブル）における部分的な変更データ（変更テーブル）を時系列に記憶しておき、これらの変更データに基づいて表示画面を部分的に順次書き換えることにより、効率良くアニメーション表現を行う手法である。
【００１２】
文字サイズ変更機能は、図５の（Ａ）〜（Ｃ）に示すように、リモコン表示部１０における歌詞の表示文字サイズを変更する機能である。例えば、本実施形態のリモコンユニット６では、歌詞を表示する文字のサイズを三種類（Ｓ１＞Ｓ２＞Ｓ３）とし、リモコンユニット６に設けられる文字サイズ変更ボタン１１の操作に基づいて文字サイズを選択的に変更することができるようになっている。例えば、文字サイズＳ１が適用された初期状態（図５の（Ａ）参照）において文字サイズ変更ボタン１１を押すと、文字サイズＳ２が適用される拡大状態１（図５の（Ｂ）参照）に移行し、また、拡大状態１において文字サイズ変更ボタン１１を押すと、文字サイズＳ３が適用される拡大状態２（図５の（Ｃ）参照）に移行し、さらに、拡大状態２において文字サイズ変更ボタン１１を押すと、文字サイズＳ１が適用される初期状態に戻るようになっている。
【００１３】
文字サイズ変更ボタン１１による歌詞の文字サイズ変更操作は、曲の開始から終了までの全期間に亘って許容することが好ましい。また、文字サイズ変更ボタン１１で変更された文字サイズは、曲の終了と同時にリセットし、標準的な文字サイズＳ１が適用される初期状態に戻すことが好ましい。
なお、リモコン表示部１０において、歌詞を示す文字列が文字サイズの拡大により一行に納まらなくなった場合は、一行の表示文字数を減らし、残りの文字列を次の行に送る処理で対処することができる（図５の（Ｂ）参照）。また、行数の増加により一区分の歌詞が一画面に納まらなくなった場合は、曲の進行に応じて画面をスクロール（縦送り又は横送り）する処理で対処できる（図５の（Ｃ）参照）。
【００１４】
次に、色変換機能と文字サイズ変更機能の関係について説明する。本実施形態のリモコンユニット６は、各表示文字サイズＳ１、Ｓ２、Ｓ３に対応する複数の色変換プログラム（通常色変換プログラム、色変換プログラム１、色変換プログラム２）を有し、文字サイズ変更ボタン１１による文字サイズの変更に応じて適用する色変換プログラムを切換えるようになっている。すなわち、文字サイズ変更機能を付加した場合、従来のリモコンユニットが備える単一の色変換プログラムでは、文字サイズの変更に対応できず、歌詞の色変換処理が不適切になるという問題が生じる。例えば、歌詞の色変換処理をパレットアニメーションで行う場合、文字サイズに応じて、パレットデータ（初期テーブル、変更テーブル、変更速度等）も変更する必要があるので、単一の色変換プログラムでは対応が困難、或いは処理が複雑になるという問題があるが、本実施形態のように、各表示文字サイズＳ１、Ｓ２、Ｓ３に対応する複数の色変換プログラムを作成しておけば、文字サイズに適合した色変換プログラムを用いて、常に適正な色変換処理を行うことが可能になる。
【００１５】
具体的に説明すると、図６に示すように、リモコン表示部１０に歌詞を表示する文字は、通常状態の場合で、１１行×１１列の文字領域にドット表示されるようになっており、一文字単位でパレットデータが用意されている。パレットデータは、時系列に並ぶパレットテーブルから構成されており、パレットテーブルには、初期テーブル（列１〜列１１）と、時間経過に応じて列１から順に書き換えられる変更テーブル（列１〜列１１）が含まれている。例えば、背景色の色コードを０、変換前の色コードを１、変換後の色コードを２とし、「イ」という文字を時間の経過に応じて左側から１ドット列単位で色変換させる場合、
初期テーブルは、
列０１（０００００００００００）
列０２（０００００００００００）
列０３（０００００００１０００）
列０４（００００００１１０００）
列０５（０００００１１００００）
列０６（００００１１１１１１１）
列０７（０００１１１１１１１１）
列０８（００１１１００００００）
列０９（０１１１０００００００）
列１０（０００００００００００）
列１１（０００００００００００）
各変更テーブルは、
列０１（０００００００００００）
列０２（０００００００００００）
列０３（０００００００２０００）
列０４（００００００２２０００）
列０５（０００００２２００００）
列０６（００００２２２２２２２）
列０７（０００２２２２２２２２）
列０８（００２２２００００００）
列０９（０２２２０００００００）
列１０（０００００００００００）
列１１（０００００００００００）
となる。
【００１６】
また、拡大状態１や拡大状態２では、例えば、文字領域が１６行×１６列や２４行×２４列となるので、同じ文字であっても、パレットテーブル内の初期テーブル及び変更テーブル、さらには、変更テーブルの適用タイミングが相違してくる。本実施形態では、文字サイズの変更に伴う各種表示データの切り換えを単一の色変換プログラムで行うことなく、文字サイズの変更に応じて各文字サイズに対応した色変換プログラムに切換えることにより、各文字サイズにおいて適正な色変換処理を可能にするものである。このようにすることにより、文字サイズの変更に伴う色変換処理の不具合や色変換処理の複雑化を回避することができるだけでなく、どのようなタイミングでも文字サイズの変更を行うことが可能になる。
【００１７】
次に、上記のような文字サイズ変更機能や色変換機能を実現するための具体的な処理手順について、図７及び図８を参照して説明する。
図７に示すように、本実施形態の文字サイズ変更処理では、まず、現在の文字サイズ設定（初期状態、拡大状態１、拡大状態２）を取得し、それを所定の記憶領域Ｎに記憶する（Ｓ１１）。次に、文字サイズ変更ボタン１１の操作を判断し（Ｓ１２）、この判断結果がＮＯの場合は、そのまま上位ルーチンに復帰する。一方、この判断結果がＹＥＳの場合は、現在表示されている歌詞区分データを取得すると共に（Ｓ１３）、現在の文字サイズ設定を変更する（Ｓ１４）。例えば、初期状態において文字サイズ変更ボタン１１が操作された場合は、記憶領域Ｎに拡大状態１を上書きし、また、拡大状態１において文字サイズ変更ボタン１１が操作された場合は、記憶領域Ｎに拡大状態２を上書きし、さらに、拡大状態２において文字サイズ変更ボタン１１が操作された場合は、記憶領域Ｎに初期状態を上書きする。その後、現在の歌詞区分データの文字サイズを変更し（Ｓ１５）、上位ルーチンに復帰する。このような文字サイズ変更処理によれば、文字サイズ変更ボタン１１の操作に応じて、現在表示されている歌詞区分データの文字サイズも変更され、リアルタイムな文字サイズ変更が可能になるので、歌い手が視認可能な文字サイズを速やかに選択することができる。
【００１８】
図８に示すように、本実施形態の色変換プログラム切換処理では、まず、現在実行している色変換プログラムの設定を取得し、それを所定の記憶領域Ｍに記憶する（Ｓ２１）。次に、文字サイズ変更ボタン１１の操作を判断し（Ｓ２２）、この判断結果がＮＯの場合は、そのまま上位ルーチンに復帰する。一方、この判断結果がＹＥＳの場合は、現在実行している色変換プログラムを停止した後（Ｓ２３）、現在色変換が行われている文字を取得すると共に（Ｓ２４）、実行する色変換プログラムを切換える（Ｓ２５）。例えば、通常色変換プログラムの実行時に文字サイズ変更ボタン１１が操作された場合は、記憶領域Ｍに色変換プログラム１を上書きし、また、色変換プログラム１の実行時に文字サイズ変更ボタン１１が操作された場合は、記憶領域Ｍに色変換プログラム２を上書きし、さらに、色変換プログラム２の実行時に文字サイズ変更ボタン１１が操作された場合は、記憶領域Ｍに通常色変換プログラム１を上書きする。その後、現在色変換が行われている文字から新たな色変換プログラムによる色変換処理を再開し（Ｓ２６）、上位ルーチンに復帰する。このような色変換プログラム切換処理によれば、文字サイズ変更ボタン１１の操作に応じて、現在色変換が行われている文字から新たな色変換プログラムによる色変換処理を再開するので、極めてスムーズに色変換プログラムの切換えを行うことが可能になる。
【００１９】
叙述の如く構成された本実施形態によれば、カラオケシステム本体２と、選択された曲及び歌い手の音声を出音するスピーカユニット３と、曲の進行に合わせて歌詞を表示するモニタユニット４と、歌い手の音声を集音するマイクユニット５と、カラオケシステム本体２と通信可能に構成され、少なくとも曲選択操作手段を有する持ち運び可能なリモコンユニット６と、が備えられたカラオケシステム１であって、リモコンユニット６には、少なくとも文字を表示可能なリモコン表示部１０と、曲の進行に合わせてリモコン表示部１０に歌詞を表示させる歌詞表示手段と、リモコン表示部１０における歌詞の表示文字サイズを変更する文字サイズ変更手段とが備えられているので、眼球、視神経、水晶体等に障害（弱視、老眼等）を有する歌い手であっても、歌い手が視認可能な文字サイズに変更することにより、リモコンユニット６に表示される歌詞を良好に視認し、カラオケを楽しむことができる。
【００２０】
また、リモコンユニット６には、リモコン表示部１０における歌詞の表示文字サイズを変更操作する文字サイズ変更ボタン１１が備えられているので、わざわざカラオケシステム本体２の設置場所まで行って操作をしなくても、手元にあるリモコンユニット６の操作で歌詞の表示文字サイズを変更することができる。
【００２１】
また、リモコンユニット６には、ドット表示される歌詞の表示文字色を、曲の進行に合わせて所定ドット単位で先頭側から順次変換する色変換手段が備えられており、色変換手段は、表示文字サイズ毎に作成された複数の色変換プログラムからなり、文字サイズ変更手段による文字サイズの変更に応じて適用する色変換プログラムを切換えるので、文字サイズに適合した色変換プログラムを用いて、適正な色変換処理を行うことができる。
【図面の簡単な説明】
【００２２】
【図１】カラオケシステムの構成を示すブロック図である。
【図２】リモコンユニットの構成を示すブロック図である。
【図３】リモコンユニットの正面図である。
【図４】（Ａ）は歌詞表示機能の説明図、（Ｂ）は色変換機能の説明図である。
【図５】（Ａ）〜（Ｃ）は文字サイズ変更機能の説明図である。
【図６】色変換プログラムの説明図である。
【図７】文字サイズ変更処理のフローチャートである。
【図８】色変換プログラム切換処理のフローチャートである。
【符号の説明】
【００２３】
１    カラオケシステム
２    カラオケシステム本体
３    スピーカユニット
４    モニタユニット
５    マイクユニット
６    リモコンユニット
７    制御部
８    通信部
９    タッチパネル
１０  リモコン表示部
１１  文字サイズ変更ボタン
【図１】
2008116864.tif 000003
【図２】
2008116864.tif 000004
【図３】
2008116864.tif 000005
【図４】
2008116864.tif 000006
【図５】
2008116864.tif 000007
【図６】
2008116864.tif 000008
【図７】
2008116864.tif 000009
【図８】
2008116864.tif 000010